(57)【要約】【課題】本発明は、ペットの糞尿や体臭等から発生する悪臭を長期にわたって確実に消臭せしめることが出来るのみならず、ペットや人体に対して安全なペット用消臭材、及びそれを用いたペット用砂を提供するものである。【解決手段】ペット用消臭材は、微粉末化せしめたホルンフェルスを有効成分とするものである。また、ペット用砂は、上記ペット用消臭材を所要の基材に配合して粒状成形せしめたものである。そして、ホルンフェルスから自然放射する遠赤外線でもって細砕せしめた空気中の水分子クラスタ−により悪臭物質をマスキングして消臭せしめると共に、微粉末化せしめた微細な多孔構造を呈する二酸化珪素により悪臭物質を吸着して消臭せしめるものである。【特許請求の範囲】
【請求項１】
微粉末化せしめたホルンフェルスを有効成分とするペット用消臭材。
【請求項２】
請求項１記載のペット用消臭材を所要の基材に配合して粒状成形せしめたことを特徴とする、ペット用砂。
【発明の詳細な説明】
【０００１】
【発明の属する技術分野】
本発明は、主として家庭で飼育している犬、猫、小鳥、あるいはハムスタ−等の小動物、及びその飼育環境から発生する様々な悪臭に対し、長期にわたって優れた消臭効果を有するのみならず、人体やペットに対して安全性の高い消臭材、及びそれを用いたペット用砂に関する。
【０００２】
【従来の技術、及び発明が解決しようとする課題】
一般に、犬や猫等のペットから発生する悪臭は、糞尿から発生するアンモニア、メルカプタン、硫化水素などの窒素や硫黄を含む有機化合物、あるいは、蛋白質の分解産物や体臭から発生する酪酸、吉草酸等の低級脂肪酸があり、家庭で飼育しているペットやその回りから発生する悪臭は殆んどこれらの混合臭気である。
【０００３】
ところで、これらの混合臭気を消臭する方法としては、芳香を有する物質を配合せしめた消臭剤（特開平１０−２８７２４号公報）（特許文献１）等を用い、その芳香によって悪臭をマスキングする方法が知られている。
しかしながら、かかる従来例は、悪臭の強度より強い芳香を使用するため、悪臭と混合後の全体の臭いの強さが著しく大となり、結果的に不快感を生起せしめるのみならず、人間より鋭敏な嗅覚を有するペットが忌避しやすく、しかも、消臭効果の持続性において問題があるものである。
【０００４】
また、悪臭を消臭する他の方法として、グリオキザ−ルや次亜塩素酸等を含有せしめた消臭剤（特開２００１−６１９５１号公報）（特許文献２）等を用い、その化学反応を利用して消臭せしめる方法、あるいは、植物抽出物を配合せしめた消臭剤（特開平０９−１６４１８９号公報）（特許文献３）等を用い、悪臭を緩和せしめる方法が知られている。
しかしながら、グリオキザ−ル等の化学反応を利用して消臭せしめる方法は、ペットや人体に対する安全性の面において制約が大であり、また、植物抽出物の悪臭緩和作用を利用して消臭せしめる方法は、植物抽出物自体の生成が非常に面倒であるのみならず、ペット用としては高価すぎ、適用せしめずらいものである。
【０００５】
【特許文献１】
特開平１０−２８７２４号公報
【特許文献２】
特開２００１−６１９５１号公報
【特許文献３】
特開平０９−１６４１８９号公報
【０００６】
本発明は従来の問題点を一挙に解決し、ペットの糞尿や体臭等から発生する悪臭を長期にわたって確実に消臭せしめることが出来るのみならず、ペットや人体に対して安全なペット用消臭材、及びそれを用いたペット用砂を提供しようとするものである。
【０００７】
【課題を解決するための手段】
本発明者らは、上記目的を達成するため鋭意研究を行なった結果、微粉末化せしめたホルンフェルスが悪臭をマスキングせしめると共に吸着せしめることを知見し、本発明を完成するに至ったものである。
即ち、本発明の請求項１記載の発明は、微粉末化せしめたホルンフェルスを有効成分とするペット用消臭材を要旨とするものである。
【０００８】
また、請求項２記載の発明は、請求項１記載のペット用消臭材を所要の基材に配合して粒状成形せしめたことを特徴とする、ペット用砂を要旨とするものである。
【０００９】
【発明の実施の形態】
本発明におけるホルンフェルスは、花崗岩、石英班岩、安山岩、流紋岩やそれらの周辺の堆積岩、例えば、泥岩、砂岩などが地殻やマントルの温度・圧力などにより主として固体のまま組織と構成鉱物の組合わせを変えた直接変成岩の一種であり、その化学組成を表１に、蛍光Ｘ線による定性分析結果を表２に各々示す。かかる直接変成岩の一種であるホルンフェルスは、表１から明らかなとおり、二酸化珪素や酸化アルミニウムを主成分とするものであり、また、表２から明らかなとおり、珪素、マグネシウム、アルミニウム、鉄等の基本元素の他に、ルビジウム、チタン、ジルコニウム等の一般の岩石に見られない微量元素、さらに、ランタンなど地球の始源的組成とされる希土類元素を含有している。また、ホルンフェルスは、自然残留磁化１０‐４〜１０‐１３Ｔ（ＳＩ慣用磁化強度）及び遠赤外線４〜２４μｍで８０％以上の放射率を有する天然鉱物であり、特に大分県南海部郡宇目町近辺に産出するものを好適に使用することが出来る。
本発明におけるホルンフェルスは、粒径が０．３ｍｍ〜８μｍに微粉末化せしめて用いる。粒径が０．３ｍｍ以上の場合には消臭効果が低下し、また、８μｍ以下の場合には珪素の多孔構造を破壊せしめるおそれがあるのみならず、その取り扱いが非常に不便である。
【００１０】
ホルンフェルスの消臭メカニズムについては必ずしも明らかではないが、ホルンフェルスより放射する４〜２４μｍの遠赤外線が空気中の水分子クラスタ−に振動を与えて細砕せしめ、細砕水分子により悪臭物質をマスキングして消臭せしめるものと思われる。また、ホルンフェルスは表１から明らかなとおり、微細な多孔構造を呈する二酸化珪素を約７０％含有するのみならず、微粉末化せしめてその比表面積をアップせしめるものであるから、活性炭等と同様に悪臭物質を吸着して消臭せしめるものと思われる。
【００１１】
その他、本発明のペット用消臭材は、必要に応じて適宜吸湿剤やハ−ブ等の抽出エキス等を配合せしめてもよいものである。また、使用方法としては、ペット用砂など所要の消臭個所に適量振り掛けたり、不織布製シ−ト等に充填せしめて使用に供することが出来るのみならず、場合によっては、スプレ−タイプにしてペットやペット用砂に直接スプレ−せしめてもよいものである。
【００１２】
本発明におけるペット用砂は、所要の基材に上記ペット用消臭材を配合せしめて公知の方法により所要粒径に造粒生成せしめたり、あるいは、粒状基材の外表面に付着せしめて生成せしめる。そして、上記基材としては、木粉、紙粉、あるいは石粉等公知のものを用いる。
【００１３】
【実施例】
以下に、本発明の一実施例を示すが、本発明はこれに限定されるものではない。
実施例１
大分県南海部郡宇目町産出のホルンフェルスを公知の方法により微粉末化せしめ、粒径７５〜８μｍの消臭材を生成せしめた。
【００１４】
上記実施例１により生成せしめた消臭材について、マウスによる急性経口毒性試験及び消臭試験を行なった。その結果を表３に示す。なお、比較例１として、悪臭成分に対する空試験を行なった。その結果を表３に併せて示す。
【００１５】
表３から明らかなとおり、実施例１は人体やペットに対して非常に安全であるのみならず、悪臭物質である、アンモニア、トリメチルアミン、メチルメルカプタン、及び硫化水素についても比較例１に比して優れた消臭効果を有することが理解出来るものである。
【００１６】
なお、上記マウスによる急性経口毒性試験（限定試験）は、実施例１により得られた消臭材を検体として、ＯＥＣＤ化学物質毒性試験指針（１９８７）に準拠し、試験群には２０００ｍｇ／ｋｇの用量の検体を雌雄マウスに単回経口投与せしめて行なった。なお、表中、〇は試験マウスに異常及び死亡例が認められなかったことを示す。
【００１７】
また、消臭試験は、実施例１により得られた消臭材を検体とし、これを袋に入れて空気３Ｌを封入せしめると共に、アンモニアをガス濃度約５００ｐｐｍとなるように添加せしめ、経時的に袋内のガス濃度を測定した。また、比較例１は、アンモニアをガス濃度約５００ｐｐｍとなるように袋に封入せしめ、経時的に袋内のガス濃度を測定した。同様に、トリメチルアミン（約５０ｐｐｍ），メチルメルカプタン（約５０ｐｐｍ）、及び硫化水素（約１００ｐｐｍ）についても同様に操作して消臭試験を行なった。
【００１８】
実施例２
図１は本発明にかかるペット用砂１１を示すもので、同図中、１２は紙製基材、１３は該基材１２中に混入せしめた消臭材である。
【００１９】
また、図２は他の実施例を示すペット用砂２１を示すもので、紙製基材１２の外表面に消臭材１３を付着せしめた点が上記実施例２を相違する。
【００２０】
そして、上述のごとく構成されたペット用砂１１・２１は、従来例と同様にトレ−等に投入せしめて使用し、悪臭をマスキングすると共に吸着して消臭せしめるものである。
【００２１】
【発明の効果】
請求項１記載の発明によれば以上の次第で、微粉末化せしめたホルンフェルスを有効成分とするものであるから、ホルンフェルスから自然放射する遠赤外線でもって空気中の水分子クラスタ−に振動を与えて細砕せしめ、細砕水分子により悪臭物質をマスキングして消臭せしめることが出来、また、ホルンフェルスが微細な多孔構造を呈する二酸化珪素を主成分とするのみならず、微粉末化せしめることによりその比表面積をアップせしめるものであるから、悪臭物質を吸着して消臭せしめることが出来るものであって、ひいては、両作用が相まって消臭効果を長期わたって有効に発揮せしめることが出来るものである。また、ホルンフェルスは天然鉱物であるから、人体やペットに対して非常に安全である。
【００２２】
また、請求項２記載の発明は、請求項１記載の消臭材を基材に配合して粒状成形せしめたものであるから、消臭材のマスキング作用と吸着作用とが相まってペットの糞尿や体臭などから発生する悪臭を長期にわたって確実に消臭せしめることが出来るものである。
【００２３】
【表１】
2004267011.tif 000002
【００２４】
【表２】
2004267011.tif 000003
【００２５】
【表３】
2004267011.tif 000004
【図面の簡単な説明】
【図１】本発明の一実施例を示す拡大縦断面図である。
【図２】他の実施例を示す拡大縦断面図である。
【符号の説明】
１１・２１      ペット用砂
１２    基材
１３    消臭材
【図１】
2004267011.tif 000005
【図２】
2004267011.tif 000006